(57)【要約】  本発明は、スクリーン及び指紋モジュールを含み、スクリーンの内面は遮光層である、構成コンポーネントを提供する。遮光層は、スクリーンの表示領域内に位置する透光領域を含み、指紋モジュールは、フレーム接着剤を用いることにより透光領域に取り付けられる。指紋モジュールは、スクリーンに対向する第１表面、スクリーンから離れた第２表面、及び第１表面及び第２表面の間に接続される側面を含む。フレーム接着剤は、接続される第１接続領域及び第２接続領域を含み、第２接続領域は第１接続領域の周囲に位置し、第１接続領域及び第２接続領域の両方は第１表面に接合され、第２接続領域は第１シール接着剤を用いることにより側面に固定される。本発明は、さらに、電子機器及び指紋モジュールの組立方法を提供する。本発明において提供される構成コンポーネントを用いることにより、電子機器の表示領域を増大することができ、また画面対本体比を増大することができる。
2021501404.tif 000002
【特許請求の範囲】
【請求項１】
スクリーン及び指紋モジュールを備え、前記スクリーンの外面はタッチ面であり、前記スクリーンの内面は遮光層であり、前記遮光層は前記スクリーンの表示領域内に位置する透光領域を含み、
前記指紋モジュールは、フレーム接着剤を用いることにより前記スクリーンの前記透光領域に取り付けられ、
前記指紋モジュールは、前記スクリーンに対向する第１表面、前記スクリーンから離れた第２表面、及び前記第１表面及び前記第２表面の間に接続された側面を含み、
前記フレーム接着剤は、接続される第１接続領域及び第２接続領域を含み、前記第２接続領域は前記第１接続領域の周囲に位置し、前記第１接続領域及び前記第２接続領域の両方は前記第１表面に接合され、前記第２接続領域は第１シール接着剤を用いることにより前記側面に固定される、
構成コンポーネント。
【請求項２】
前記透光領域は、前記遮光層上に配置された貫通孔であり、前記フレーム接着剤は、前記貫通孔内に収容される、請求項１に記載の構成コンポーネント。
【請求項３】
前記透光領域は、複数の小透光孔を有する領域であり、前記複数の小孔は、前記遮光層上に配置されてアレイ状に分布する、請求項１に記載の構成コンポーネント。
【請求項４】
前記第２接続領域は、前記第１接続領域から離れた外縁を含み、前記外縁は、第２シール接着剤を用いることにより前記透光領域に固定され、前記第２シール接着剤と前記貫通孔の内壁との間に間隙が配置される、請求項２に記載の構成コンポーネント。
【請求項５】
前記第２接続領域の前記外縁は、前記透光領域に接合される取付面、前記スクリーンから離れた外面、及び前記取付面及び前記外面の間に接続される接続側面を含み、
前記第２シール接着剤は、前記接続側面及び前記露出面の一部をカバーする、
請求項４に記載の構成コンポーネント。
【請求項６】
前記指紋モジュールの前記側面は、ステップ面及び／又は粗面を含み、前記第１シール接着剤は、前記ステップ面及び／又は前記粗面に接合される、請求項１に記載の構成コンポーネント。
【請求項７】
前記第２接続領域のサイズは、前記第１接続領域のサイズより大きい、請求項１から６のいずれか一項に記載の構成コンポーネント。
【請求項８】
前記フレーム接着剤は、不透明構造であり、前記指紋モジュールの前記第１表面は、認識領域と前記認識領域を囲むフレーム領域とを含み、前記フレーム接着剤は、前記フレーム領域に取り付けられ、前記認識領域と前記スクリーンとの間に空気層が形成される、請求項７に記載の構成コンポーネント。
【請求項９】
前記指紋モジュールは、前記貫通孔に部分的に埋め込まれる、請求項１から８のいずれか一項に記載の構成コンポーネント。
【請求項１０】
前記フレーム接着剤は、一体化された閉じたフレーム構造である、請求項１から９のいずれか一項に記載の構成コンポーネント。
【請求項１１】
前記フレーム接着剤は、副接着剤の複数のセグメントを含み、前記副接着剤の複数のセグメントは、フレーム構造内に配列される、請求項１から９のいずれか一項に記載の構成コンポーネント。
【請求項１２】
前記第２表面上にフレキシブル回路基板が配置され、前記スクリーン上にスクリーンコネクタが配置され、前記フレキシブル回路基板は前記スクリーンコネクタに電気的接続される、請求項１から１１のいずれか一項に記載の構成コンポーネント。
【請求項１３】
前記フレキシブル回路基板の、前記第２表面から離れた側にスティフナが配置される、請求項１２に記載の構成コンポーネント。
【請求項１４】
請求項１から１３のいずれか一項に記載の構成コンポーネントを備える電子機器。
【請求項１５】
スクリーンを提供する段階であり、前記スクリーンの外面はタッチ面であり、前記スクリーンの内面は遮光層であり、前記遮光層上に透光領域が形成され、前記透光領域は前記スクリーンの表示領域内に形成される、段階と、
フレーム接着剤を前記透光領域に取り付ける段階であり、前記フレーム接着剤は、接続される第１接続領域及び第２接続領域を含み、前記第２接続領域は前記第１接続領域の周囲に位置する、段階と、
指紋モジュールを提供する段階であり、前記指紋モジュールは、前記スクリーンに対向する第１表面、前記スクリーンから離れた第２表面、及び前記第１表面及び前記第２表面の間に接続される側面を含む、段階と、
前記指紋モジュールの前記第１表面を前記第１接続領域及び前記第２接続領域に接合する段階と、
前記第２接続領域と前記指紋モジュールの前記側面との間に第１シール接着剤を配置する段階と、
を備える指紋モジュールの組立方法。
【請求項１６】
前記透光領域は、前記遮光層上に貫通孔を配置することにより形成される、請求項１５に記載の指紋モジュールの組立方法。
【請求項１７】
前記第２接続領域の、前記第１接続領域から離れた外縁と前記透光領域との間に第２シール接着剤を配置する段階をさらに備える、請求項１５に記載の指紋モジュールの組立方法。
【発明の詳細な説明】
【技術分野】
【０００１】
本願は、指紋認識技術の分野に関し、特に、指紋モジュール及びスクリーンを有する構成コンポーネント、構成コンポーネントを有する電子機器、及び指紋モジュールの組立方法に関する。
【背景技術】
【０００２】
指紋認識技術は、一般的に、インテリジェント端末、特に、スマートフォンのような電子機器に適用される。一般的に、表示領域の通常の表示効果に影響するのを回避するために、指紋認識モジュールが、表示画面の非表示領域内に配置される。しかしながら、非表示領域内に指紋認識モジュールを配置することは、必然的に、非表示領域の面積を増大し、表示画面の画面対本体比を低下する。
【０００３】
表示領域内に指紋認識モジュールを配置することは、業界における研究領域でえる。
【発明の概要】
【０００４】
本願の実施形態は、構成コンポーネント、電子機器及び指紋モジュールの組立方法を提供する。本発明において提供される構成コンポーネントは、表示のために用いられるスクリーン及び指紋モジュールを含む。指紋モジュールは、表示画面の表示領域内に配置され、表示領域内のスクリーンと重なって、画面対本体比を増大する。
【０００５】
第１の態様によると、本願は、スクリーン及び指紋モジュールを含み、前記スクリーンの外面はタッチ面であり、前記スクリーンの内面は遮光層である、構成コンポーネントを提供する。前記遮光層は、前記スクリーンの表示領域内に位置する透光領域を含み、前記指紋モジュールは、フレーム接着剤を用いることにより前記スクリーンの前記透光領域に取り付けられる。前記指紋モジュールは、前記スクリーンに対向する第１表面、前記スクリーンから離れた第２表面、及び前記第１表面及び前記第２表面の間に接続された側面を含む。前記フレーム接着剤は、接続される第１接続領域及び第２接続領域を含み、前記第２接続領域は前記第１接続領域の周囲に位置し、前記第１接続領域及び前記第２接続領域の両方は前記第１表面に接合され、前記第２接続領域は第１シール接着剤を用いることにより前記側面に固定される。
【０００６】
本願の実施形態では、前記指紋モジュールは前記スクリーンの前記表示領域内に配置され、前記指紋モジュールは前記フレーム接着剤及び前記第１シール接着剤を用いることにより固定され、その結果、前記指紋モジュールの前記第１表面は、前記フレーム接着剤を用いることにより前記スクリーンに固定され、前記指紋モジュールの前記側面は前記第１シール接着剤を用いることにより前記フレーム接着剤の前記第２接続領域に固定される。このように、前記指紋モジュールはしっかり固定され、前記指紋モジュール及び前記スクリーンの間の経路は良好にシールされて、湿気が前記指紋モジュールの指紋認識領域に入るのを防止する。
【０００７】
一実装では、前記透光領域は、前記遮光層上に貫通孔を配置することにより形成され、前記フレーム接着剤は、前記貫通孔内に収容され、前記フレーム接着剤と前記貫通孔の内壁との間に設置スペースが形成される。本実装では、前記貫通孔が、前記遮光層の材料の一部を除去することにより形成され、その結果、前記透光領域での前記スクリーンの厚さが低減し、前記フレーム接着剤が前記貫通孔内に収容される。これは、前記構成コンポーネント及び前記電子機器の全厚を低減するのに役立つ。設置スペースの形成は、前記フレーム接着剤及び前記指紋モジュールの取り付け及び取り外しを容易にする。取り付け及び取り外しの間、設置スペースは、ツールの使用を容易にする。
【０００８】
一実装では、前記透光領域は、複数の小透光孔を有する領域であり、前記複数の小孔は、前記遮光層上に配置されてアレイ状に分布する。
【０００９】
一実装では、前記第２接続領域は、前記第１接続領域から離れた外縁を含み、前記外縁は、第２シール接着剤を用いることにより前記透光領域に固定され、前記第２シール接着剤と前記貫通孔の内壁との間に間隙が配置される。前記第２シール接着剤は、前記フレーム接着剤及び前記スクリーンの間の接合力を増大する。
【００１０】
一実装では、前記第２接続領域の前記外縁は、前記透光領域に接合される取付面、前記スクリーンから離れた外面、及び前記取付面及び前記外面の間に接続される接続側面を含み、前記第２シール接着剤は、前記接続側面及び前記露出面の一部をカバーする。言い換えれば、前記第２シール接着剤は、前記第２接続領域の前記外縁の角部で２つの表面を包んで、接合を改善する。
【００１１】
一実装では、前記指紋モジュールの前記側面は、ステップ面及び／又は粗面を含み、前記第１シール接着剤は、前記ステップ面及び／又は前記粗面に接合されて接合信頼度を改善する。前記ステップ面及び前記粗面は、前記第１シール接着剤が前記指紋モジュールの前記側面に接合される領域を増大して、接合強度を改善する。
【００１２】
一実装では、前記第２接続領域のサイズは、前記第１接続領域のサイズより大きい。前記第２接続領域のサイズは、前記第１接続領域のそれより大きく、前記フレーム接着剤が前記スクリーンに接合される領域は前記フレーム接着剤が前記指紋モジュールに接合される領域の２倍より大きく、その結果、前記接合はより安定し、前記指紋モジュールは容易に脱落しなくなる。
【００１３】
一実装では、前記フレーム接着剤は、不透明構造である。前記指紋モジュールの前記第１表面は、認識領域と前記認識領域を囲むフレーム領域とを含み、前記フレーム接着剤は、前記フレーム領域に取り付けられ、前記認識領域と前記スクリーンとの間に空気層が形成される。本実装では、前記遮光層は、遮光効果のために不透明なフレーム接着剤を用いて置き換えられて、前記スクリーンの前記表示効果を満たす。
【００１４】
一実装では、前記指紋モジュールは、前記貫通孔に部分的に埋め込まれ、その結果、前記構成コンポーネント及び電子機器のサイズはより薄くなる。
【００１５】
一実装では、前記フレーム接着剤は、一体化された閉じたフレーム構造である。
【００１６】
一実装では、前記フレーム接着剤は、副接着剤の複数のセグメントを含み、前記副接着剤の複数のセグメントは、フレーム構造内に配列される。
【００１７】
一実装では、前記第２表面上にフレキシブル回路基板が配置され、前記スクリーン上にスクリーンコネクタが配置され、前記フレキシブル回路基板は前記スクリーンコネクタに電気的接続される。
【００１８】
一実装では、前記フレキシブル回路基板の、前記第２表面から離れた側にスティフナが配置される。
【００１９】
第２の態様によると、本願は、上記の実装のいずれか１つにおいて提供される前記構成コンポーネントを含む電子機器を提供する。
【００２０】
第３の態様によると、本願はさらに、スクリーンを提供する段階であり、前記スクリーンの外面はタッチ面であり、前記スクリーンの内面は遮光層であり、前記遮光層上に透光領域が形成され、前記透光領域は前記スクリーンの表示領域内に形成される、段階と、フレーム接着剤を前記透光領域に取り付ける段階であり、前記フレーム接着剤は、接続される前記第１接続領域及び第２接続領域を含み、前記第２接続領域は前記第１接続領域の周囲に位置する、段階と、指紋モジュールを提供する段階であり、前記指紋モジュールは、前記スクリーンに対向する第１表面、前記スクリーンから離れた第２表面、及び前記第１表面及び前記第２表面の間に接続される側面を含む、段階と、前記指紋モジュールの前記第１表面を前記第１接続領域及び前記第２接続領域に接合する段階と、前記第２接続領域と前記指紋モジュールの前記側面との間に第１シール接着剤を配置する段階と、を含む指紋モジュールの組立方法を提供する。
【００２１】
一実装では、透光領域は、遮光層上に貫通孔を配置することにより形成され、フレーム接着剤と貫通孔の内壁との間に設置スペースが形成される。
【００２２】
一実装では、方法は、前記第２接続領域の、前記第１接続領域から離れた外縁と前記透光領域との間に第２シール接着剤を配置する段階をさらに含む。
【図面の簡単な説明】
【００２３】
本発明の実施形態又は背景技術における技術的解決手段をより明確に説明するために、以下では、本発明の実施形態又は背景技術を説明するのに必要な添付図面を簡潔に説明する。
【００２４】
【図１】本願の実施形態に係る構成コンポーネントの概略断面図である。
【００２５】
【図２】本願の実施形態に係る構成コンポーネント内のフレーム接着剤及び指紋モジュールの概略分解図である。
【００２６】
【図３】本願の実施形態に係る、フレーム接着剤が位置する面上のフレーム接着剤及び指紋モジュールの分布の概略図であり、破線のフレームは指紋モジュールを表す。
【００２７】
【図４】本願の別の実施形態に係る構成コンポーネントの概略断面図である。
【００２８】
【図５】本願の別の実施形態に係る構成コンポーネントの概略断面図である。
【発明を実施するための形態】
【００２９】
以下では、本発明の実施形態を、本発明の実施形態における添付図面を参照して説明する。
【００３０】
本願の実施形態において提供される構成コンポーネントは、スクリーン及び指紋モジュールを含む。構成コンポーネントは、電子機器及びモバイル端末、例えばスマートフォン、タブレットコンピュータ、及びマルチメディアプレーヤに適用される。
【００３１】
スクリーンは、電子機器の表示画面である。一実装では、表示画面は、有機発光ダイオード（Ｏｒｇａｎｉｃ  Ｌｉｇｈｔ−Ｅｍｉｔｔｉｎｇ  Ｄｉｏｄｅ，ＯＬＥＤ）表示画面である。表示画面は、自発光型の表示画面であり、順次重ねられるガラスカバー、透光性接着層、タッチディスプレイモジュール、及び遮光層を含む。遮光層は、タッチディスプレイモジュールのバックライト層の底部層である。
【００３２】
スクリーンは、表示領域及び非表示領域を含み、非表示領域は表示領域を囲む。図１を参照すると、スクリーン１０の外面はタッチ面１１であり、スクリーン１０の内面は遮光層１２であり、遮光層１２はスクリーンの表示領域内に配置される透光領域１３を含む。図１の実施形態では、透光領域１３は遮光層１２上に配置される広面積の貫通孔であり、指紋モジュール２０は貫通孔内に設置される。
【００３３】
指紋モジュール２０は、フレーム接着剤３０を用いることによりスクリーン１０の透光領域１３に取り付けられる。
【００３４】
添付図面では、透光領域１３は、すべて広面積の貫通孔として描かれる。
【００３５】
別の実装例では、透光領域は、複数の小透光孔を有する領域であり、複数の小孔は、遮光層上に配置されてアレイ状に分布する。
【００３６】
図１、図２、及び図３を参照すると、指紋モジュール２０は、スクリーン１０に対向する第１表面２１、スクリーン１０から離れた第２表面２２、及び第１表面２１及び第２表面２２の間に接続される側面２３を含む。第１表面２１は、指紋モジュール２０の機能面であり、指紋モジュール２０の認識領域は、第１表面２１上に配置される。
【００３７】
フレーム接着剤３０は、接続される第１接続領域３１及び第２接続領域３２を含む。第２接続領域３２は、第１接続領域３１の周囲に位置する。第１接続領域３１は、第１表面２１に接合される。第２接続領域３２は、第１接続領域３１の縁部から指紋モジュール２０の外側まで延在し、第２接続領域３２は、第１シール接着剤４０を用いることにより側面２３に固定される。図２において、指紋モジュール２０からフレーム接着剤３０への２つの破線は、第１接続領域３１及び第２接続領域３２の境界を表す。
【００３８】
本願の実施形態では、指紋モジュール２０はスクリーン１０の表示領域内に配置され、指紋モジュール２０はフレーム接着剤３０及び第１シール接着剤４０を用いることにより固定され、その結果、指紋モジュール２０の第１表面２１は、フレーム接着剤３０を用いることによりスクリーン１０に固定され、指紋モジュール２０の側面は第１シール接着剤４０を用いることによりフレーム接着剤３０の第２接続領域３２に固定される。このように、指紋モジュール２０はしっかり固定され、指紋モジュール２０及びスクリーン１０の間の経路は良好にシールされて、湿気が指紋モジュール２０の指紋認識領域に入るのを防止する。さらに、フレーム接着剤３０は、貫通孔内に収容される。フレーム接着剤が貫通孔内に収容されるとき、フレーム接着剤と貫通孔の内壁１３１との間に間隙が保持される。言い換えれば、貫通孔のサイズは、フレーム接着剤３０のサイズより大きい。フレーム接着剤３０が貫通孔内に設置されるとき、フレーム接着剤３０の縁部と貫通孔の内壁１３１との間に間隙がまだ存在する。間隙は、フレーム接着剤３０の取り付け及び取り外しを容易にする。本実装では、貫通孔が、遮光層１２の材料の一部を除去することにより形成され、その結果、透光領域１３でのスクリーン１０の厚さがより薄くなり、フレーム接着剤３０が貫通孔内に収容される。これは、構成コンポーネント及び電子機器の全厚を低減するのに役立つ。設置スペースの形成は、フレーム接着剤３０及び指紋モジュール２０の取り付け及び取り外しを容易にする。取り付け及び取り外しの間、設置スペースは、ツールの使用を容易にする。
【００３９】
図４を参照すると、第２接続領域３２は、第１接続領域３１から離れた外縁を含み、外縁は、第２シール接着剤５０を用いることによりスクリーン１０に固定され、第２シール接着剤５０と貫通孔の内壁１３１との間に間隙が配置される。第２シール接着剤５０は、フレーム接着剤３０及びスクリーン１０の間の接合力を増大する。間隙は、指紋モジュールの取り付け及び取り外しを容易にする。
【００４０】
図２及び図５を参照すると、一実装では、第２接続領域３２の外縁は、スクリーン１０に接合される取付面３２１、スクリーン１０から離れる外面３２２、及び取付面３２１と外面３２２との間に接続される接続側面３２３を含む。第２シール接着剤５０は、接続側面３２３及び外面３２２の一部をカバーする。言い換えれば、第２シール接着剤５０は、第２接続領域３２の外縁の角部で接続される２つの表面を包んで、接合を改善する。
【００４１】
一実装では、指紋モジュール２０の側面２３は、ステップ面及び／又は粗面を含み、第１シール接着剤４０は、ステップ面及び／又は粗面に接合され且つフレーム接着剤３０に固定されて、接合信頼度を改善する。ステップ面及び粗面は、第１シール接着剤４０が指紋モジュール２０の側面に接合される領域を増大して、接合強度を改善する。図５に示される指紋モジュール２０の側面は、ステップ面であり、ステップ面はより長い経路を延在し、それにより、第１シール接着剤４０が側面に接合されるより大きいエリアが得られる。側面は、表面加工方向を用いることにより凹凸テクスチャを含む粗面であってよい。凹凸テクスチャは、第１シール接着剤４０が側面に接合されるより大きいエリアになって、接合力を増大する。
【００４２】
本願の実施形態では、フレーム接着剤３０の第２接続領域３２のサイズは、第１接続領域３１のサイズより大きく、フレーム接着剤３０がスクリーン１０に接合される領域はフレーム接着剤３０が指紋モジュール２０に接合される領域の２倍より大きく、その結果、接合はより安定し、指紋モジュール２０は容易に脱落しなくなる。
【００４３】
一実装では、フレーム接着剤３０は、不透明構造である。図１及び図２に示されるように、指紋モジュール２０の第１表面２１は、認識領域２１１と認識領域２１１を囲むフレーム領域２１２とを含み、フレーム接着剤３０は、フレーム領域２１２に取り付けられ、認識領域２１１とスクリーン１０との間に空気層が形成される。本実装では、遮光層１２は、不透明なフレーム接着剤３０を用いて置き換えられて、スクリーンの表示領域の遮光効果を保証する。
【００４４】
一実装では、指紋モジュール２０は、貫通孔に部分的に埋め込まれ、その結果、構成コンポーネント及び電子機器のサイズはより薄くなる。
【００４５】
一実装では、図３に示すように、フレーム接着剤３０は、一体化された閉じたフレーム構造である。別の実装例では、フレーム接着剤３０は、非閉構造であってもよい。フレーム接着剤３０は、副接着剤の複数のセグメントを含み、副接着剤の複数のセグメントは、フレーム構造内に配列される。具体的には、副接着剤の各セグメントの形状は、直線セグメント形状、Ｌ形状、Ｕ形状などであってよい。
【００４６】
指紋モジュール２０の第２表面２２上にフレキシブル回路基板６０が配置され、スクリーン１０上にスクリーンコネクタ７０が配置され、フレキシブル回路基板６０はスクリーンコネクタ７０に電気的接続される。フレキシブル回路基板６０の、第２表面２２から離れた側にスティフナ８０が配置される。
【００４７】
具体的には、電子機器は、さらに、中間フレーム１０１を含む。スクリーン１０は、中間フレーム１０１の一側に設置され、バッテリ１０２及びメインボード１０３は、中間フレーム１０１の他側に配置される。言い換えれば、中間フレーム１０１は、スクリーン１０及びバッテリ１０２の間に位置する。スクリーン１０は、中間フレーム１０１の上面上に設置され、バッテリ１０２及びメインボード１０２は、中間フレーム１０１の底部に配置される。フレキシブル回路基板６０の、第２表面から離れたスティフナ８０が、中間フレーム１０１と一体化されてよい。代替的に、スティフナ８０は、フレキシブル回路基板６０に固定され、貫通孔は、中間フレーム１０１及びスティフナ８０上の対応する場所に配置される。これは、電子装置の軽量で薄い設計を容易にする。
【００４８】
図１から図５を参照すると、本願は、さらに、スクリーン１０を提供する段階であり、スクリーン１０の外面はタッチ面１１であり、スクリーン１０の内面は遮光層１２であり、スクリーン１０の表示領域内の遮光層１２上に透光領域１３が形成される、段階と、フレーム接着剤３０を透光領域１３に取り付ける段階であり、フレーム接着剤３０は、接続される第１接続領域３１及び第２接続領域３２を含み、第２接続領域３２は第１接続領域３１の周囲に位置する、段階と、指紋モジュール２０を提供する段階であり、指紋モジュール２０は、スクリーン１０に対向する第１表面２１、スクリーン１０から離れた第２表面２２、及び第１表面２１及び第２表面２２の間に接続される側面２３を含む、段階と、指紋モジュール２０の第１表面２１を第１接続領域３１に接合する段階と、第２接続領域３２と指紋モジュール２０の側面２３との間に第１シール接着剤４０を配置する段階と、を含む、指紋モジュール２０の組立方法を提供する。
【００４９】
一実装では、透光領域１３は、遮光層１２上に貫通孔を配置することにより形成され、フレーム接着剤３０と貫通孔の内壁１３１との間に設置スペースが形成される。
【００５０】
一実装では、方法は、第２接続領域３２の、第１接続領域３１から離れた外縁とスクリーン１０との間に第２シール接着剤５０を配置する段階をさらに含む。
【００５１】
上記の説明は、単に本願の特定の実装であり、本願の保護範囲を限定する意図ではない。本発明において開示された技術的範囲内において、当業者が容易に考え出すいかなる変形例又は置換例も、本発明の保護範囲に含まれることになる。従って、本願の保護範囲は、特許請求の範囲の保護範囲の対象になるものとする。
【図１】
2021501404.tif 000003
【図２】
2021501404.tif 000004
【図３】
2021501404.tif 000005
【図４】
2021501404.tif 000006
【図５】
2021501404.tif 000007
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
スクリーン及び指紋モジュールを備え、前記スクリーンの外面はタッチ面であり、前記スクリーンの内面は遮光層であり、前記遮光層は前記スクリーンの表示領域内に位置する透光領域を含み、
前記指紋モジュールは、フレーム接着剤を用いることにより前記スクリーンの前記透光領域に取り付けられ、
前記指紋モジュールは、前記スクリーンに対向する第１表面、前記スクリーンから離れた第２表面、及び前記第１表面及び前記第２表面の間に接続された側面を含み、
前記フレーム接着剤は、接続される第１接続領域及び第２接続領域を含み、前記第２接続領域は前記第１接続領域の周囲に位置し、前記第１接続領域及び前記第２接続領域の両方は前記第１表面に接合され、前記第２接続領域は第１シール接着剤を用いることにより前記側面に固定される、
電子機器。
【請求項２】
前記透光領域は、前記遮光層上に配置された貫通孔であり、前記フレーム接着剤は、前記貫通孔内に収容される、請求項１に記載の電子機器。
【請求項３】
前記透光領域は、複数の小透光孔を有する領域であり、前記複数の小透光孔は、前記遮光層上に配置されてアレイ状に分布する、請求項１に記載の電子機器。
【請求項４】
前記第２接続領域は、前記第１接続領域から離れた外縁を含み、前記外縁は、第２シール接着剤を用いることにより前記透光領域に固定され、前記第２シール接着剤と前記貫通孔の内壁との間に間隙が配置される、請求項２に記載の電子機器。
【請求項５】
前記第２接続領域の前記外縁は、前記透光領域に接合される取付面、前記スクリーンから離れた外面、及び前記取付面と前記外面との間に接続される接続側面を含み、
前記第２シール接着剤は、前記接続側面及び露出面の一部をカバーする、
請求項４に記載の電子機器。
【請求項６】
前記指紋モジュールの前記側面は、ステップ面及び／又は粗面を含み、前記第１シール接着剤は、前記ステップ面及び／又は前記粗面に接合される、請求項１に記載の電子機器。
【請求項７】
前記第２接続領域のサイズは、前記第１接続領域のサイズより大きい、請求項１から６のいずれか一項に記載の電子機器。
【請求項８】
前記フレーム接着剤は、不透明構造であり、前記指紋モジュールの前記第１表面は、認識領域と前記認識領域を囲むフレーム領域とを含み、前記フレーム接着剤は、前記フレーム領域に取り付けられ、前記認識領域と前記スクリーンとの間に空気層が形成される、請求項７に記載の電子機器。
【請求項９】
前記指紋モジュールは、前記貫通孔に部分的に埋め込まれる、請求項２に記載の電子機器。
【請求項１０】
前記フレーム接着剤は、一体化された閉じたフレーム構造である、請求項１から９のいずれか一項に記載の電子機器。
【請求項１１】
前記フレーム接着剤は、副接着剤の複数のセグメントを含み、前記副接着剤の複数のセグメントは、フレーム構造内に配列される、請求項１から９のいずれか一項に記載の電子機器。
【請求項１２】
前記第２表面上にフレキシブル回路基板が配置され、前記スクリーン上にスクリーンコネクタが配置され、前記フレキシブル回路基板は前記スクリーンコネクタに電気的接続される、請求項１から１１のいずれか一項に記載の電子機器。
【請求項１３】
前記フレキシブル回路基板の、前記第２表面から離れた側にスティフナが配置される、請求項１２に記載の電子機器。
【請求項１４】
スクリーンを提供する段階であり、前記スクリーンの外面はタッチ面であり、前記スクリーンの内面は遮光層であり、前記遮光層上に透光領域が形成され、前記透光領域は前記スクリーンの表示領域内に形成される、段階と、
フレーム接着剤を前記透光領域に取り付ける段階であり、前記フレーム接着剤は、接続される第１接続領域及び第２接続領域を含み、前記第２接続領域は前記第１接続領域の周囲に位置する、段階と、
指紋モジュールを提供する段階であり、前記指紋モジュールは、前記スクリーンに対向する第１表面、前記スクリーンから離れた第２表面、及び前記第１表面と前記第２表面との間に接続される側面を含む、段階と、
前記指紋モジュールの前記第１表面を前記第１接続領域及び前記第２接続領域に接合する段階と、
前記第２接続領域と前記指紋モジュールの前記側面との間に第１シール接着剤を配置する段階と、
を備える指紋モジュールの組立方法。
【請求項１５】
前記透光領域は、前記遮光層上に貫通孔を配置することにより形成される、請求項１４に記載の指紋モジュールの組立方法。
【請求項１６】
前記第２接続領域の、前記第１接続領域から離れた外縁と前記透光領域との間に第２シール接着剤を配置する段階をさらに備える、請求項１４に記載の指紋モジュールの組立方法。
【手続補正２】
【補正対象書類名】明細書
【補正対象項目名】００４７
【補正方法】変更
【補正の内容】
【００４７】
具体的には、電子機器は、さらに、中間フレーム１０１を含む。スクリーン１０は、中間フレーム１０１の一側に設置され、バッテリ１０２及びメインボード１０３は、中間フレーム１０１の他側に配置される。言い換えれば、中間フレーム１０１は、スクリーン１０及びバッテリ１０２の間に位置する。スクリーン１０は、中間フレーム１０１の上面上に設置され、バッテリ１０２及びメインボード１０３は、中間フレーム１０１の底部に配置される。フレキシブル回路基板６０の、第２表面から離れたスティフナ８０が、中間フレーム１０１と一体化されてよい。代替的に、スティフナ８０は、フレキシブル回路基板６０に固定され、貫通孔は、中間フレーム１０１及びスティフナ８０上の対応する場所に配置される。これは、電子装置の軽量で薄い設計を容易にする。
【手続補正３】
【補正対象書類名】明細書
【補正対象項目名】００５１
【補正方法】変更
【補正の内容】
【００５１】
上記の説明は、単に本願の特定の実装であり、本願の保護範囲を限定する意図ではない。本発明において開示された技術的範囲内において、当業者が容易に考え出すいかなる変形例又は置換例も、本発明の保護範囲に含まれることになる。従って、本願の保護範囲は、特許請求の範囲の保護範囲の対象になるものとする。
本明細書によれば、以下の各項目に記載の構成もまた開示される。
［項目１］
スクリーン及び指紋モジュールを備え、前記スクリーンの外面はタッチ面であり、前記スクリーンの内面は遮光層であり、前記遮光層は前記スクリーンの表示領域内に位置する透光領域を含み、
前記指紋モジュールは、フレーム接着剤を用いることにより前記スクリーンの前記透光領域に取り付けられ、
前記指紋モジュールは、前記スクリーンに対向する第１表面、前記スクリーンから離れた第２表面、及び前記第１表面及び前記第２表面の間に接続された側面を含み、
前記フレーム接着剤は、接続される第１接続領域及び第２接続領域を含み、前記第２接続領域は前記第１接続領域の周囲に位置し、前記第１接続領域及び前記第２接続領域の両方は前記第１表面に接合され、前記第２接続領域は第１シール接着剤を用いることにより前記側面に固定される、
構成コンポーネント。
［項目２］
前記透光領域は、前記遮光層上に配置された貫通孔であり、前記フレーム接着剤は、前記貫通孔内に収容される、項目１に記載の構成コンポーネント。
［項目３］
前記透光領域は、複数の小透光孔を有する領域であり、前記複数の小孔は、前記遮光層上に配置されてアレイ状に分布する、項目１に記載の構成コンポーネント。
［項目４］
前記第２接続領域は、前記第１接続領域から離れた外縁を含み、前記外縁は、第２シール接着剤を用いることにより前記透光領域に固定され、前記第２シール接着剤と前記貫通孔の内壁との間に間隙が配置される、項目２に記載の構成コンポーネント。
［項目５］
前記第２接続領域の前記外縁は、前記透光領域に接合される取付面、前記スクリーンから離れた外面、及び前記取付面及び前記外面の間に接続される接続側面を含み、
前記第２シール接着剤は、前記接続側面及び前記露出面の一部をカバーする、
項目４に記載の構成コンポーネント。
［項目６］
前記指紋モジュールの前記側面は、ステップ面及び／又は粗面を含み、前記第１シール接着剤は、前記ステップ面及び／又は前記粗面に接合される、項目１に記載の構成コンポーネント。
［項目７］
前記第２接続領域のサイズは、前記第１接続領域のサイズより大きい、項目１から６のいずれか一項に記載の構成コンポーネント。
［項目８］
前記フレーム接着剤は、不透明構造であり、前記指紋モジュールの前記第１表面は、認識領域と前記認識領域を囲むフレーム領域とを含み、前記フレーム接着剤は、前記フレーム領域に取り付けられ、前記認識領域と前記スクリーンとの間に空気層が形成される、項目７に記載の構成コンポーネント。
［項目９］
前記指紋モジュールは、前記貫通孔に部分的に埋め込まれる、項目１から８のいずれか一項に記載の構成コンポーネント。
［項目１０］
前記フレーム接着剤は、一体化された閉じたフレーム構造である、項目１から９のいずれか一項に記載の構成コンポーネント。
［項目１１］
前記フレーム接着剤は、副接着剤の複数のセグメントを含み、前記副接着剤の複数のセグメントは、フレーム構造内に配列される、項目１から９のいずれか一項に記載の構成コンポーネント。
［項目１２］
前記第２表面上にフレキシブル回路基板が配置され、前記スクリーン上にスクリーンコネクタが配置され、前記フレキシブル回路基板は前記スクリーンコネクタに電気的接続される、項目１から１１のいずれか一項に記載の構成コンポーネント。
［項目１３］
前記フレキシブル回路基板の、前記第２表面から離れた側にスティフナが配置される、項目１２に記載の構成コンポーネント。
［項目１４］
項目１から１３のいずれか一項に記載の構成コンポーネントを備える電子機器。
［項目１５］
スクリーンを提供する段階であり、前記スクリーンの外面はタッチ面であり、前記スクリーンの内面は遮光層であり、前記遮光層上に透光領域が形成され、前記透光領域は前記スクリーンの表示領域内に形成される、段階と、
フレーム接着剤を前記透光領域に取り付ける段階であり、前記フレーム接着剤は、接続される第１接続領域及び第２接続領域を含み、前記第２接続領域は前記第１接続領域の周囲に位置する、段階と、
指紋モジュールを提供する段階であり、前記指紋モジュールは、前記スクリーンに対向する第１表面、前記スクリーンから離れた第２表面、及び前記第１表面及び前記第２表面の間に接続される側面を含む、段階と、
前記指紋モジュールの前記第１表面を前記第１接続領域及び前記第２接続領域に接合する段階と、
前記第２接続領域と前記指紋モジュールの前記側面との間に第１シール接着剤を配置する段階と、
を備える指紋モジュールの組立方法。
［項目１６］
前記透光領域は、前記遮光層上に貫通孔を配置することにより形成される、項目１５に記載の指紋モジュールの組立方法。
［項目１７］
前記第２接続領域の、前記第１接続領域から離れた外縁と前記透光領域との間に第２シール接着剤を配置する段階をさらに備える、項目１５に記載の指紋モジュールの組立方法。
【国際調査報告】
2021501404.tif 000008
2021501404.tif 000009
2021501404.tif 000010
2021501404.tif 000011